(57)【要約】【課題】ファンユニットを、コストアップを抑制しながら剛性を高めて筐体内に支持することができるインバータ装置を提供する。【解決手段】複数のファン３５〜３８を装着したファンユニット３４を、筐体３０の前面で開口する開口部に向けて引き出し可能に筐体内に収納したインバータ装置である。ファンユニットの前面側は、開口部を閉塞する前面カバー３１に固定されている。また、ファンユニットの筐体裏面側は、筐体の裏面側に配置したファンガイド部材４８の弾性挟持力により挟持されている。【選択図】図１
2010011720.tif 000002
【特許請求の範囲】
【請求項１】
複数のファンを装着したファンユニットを備え、このファンユニットを筐体の前面側へ引き出し可能に収納したインバータ装置において、
前記ファンユニットの引き出し方向の奥側に前記ファンユニットを弾性挟持力により挟持するファンガイド部材を設けることを特徴とするインバータ装置。
【請求項２】
前記ファンガイド部材は、前記ファンユニットの一方のユニット面を載置する載置部と、前記一方のユニット面に対向した他方のユニット面に当接して前記載置部に向けて弾性押圧力を付与する弾性押圧部とを備えていることを特徴とする請求項１記載のインバータ装置。
【請求項３】
前記弾性押圧部は、前記複数のファンに当接して弾性押圧力を付与するように、複数設けられていることを特徴とする請求項２記載のインバータ装置。
【請求項４】
前記ファンガイド部材は金属板を折り曲げて形成されており、板状の前記載置部と、この載置部の奥側縁部から立ち上がり、前記筐体の裏面カバーに固定される板状の被固定部と、この被固定部の上部から連続し、隣接している一対の前記ファンの間に位置して前記一対のファンに当接する複数の板状の前記弾性押圧部とで構成されていることを特徴とする請求項３記載のインバータ装置
【請求項５】
前記弾性押圧部は、切り込みを入れることで２分割された分割弾性押圧部とされており、隣接している前記一対のファンの各々に、２分割された分割弾性押圧部が独立して当接することを特徴とする請求項４記載のインバータ装置。
【請求項６】
前記裏面カバーは、前記弾性押圧部と対面する位置に押圧部開放窓を形成しており、前記ファンに当接する前記弾性押圧部は、前記押圧部開放窓を通過して前記裏面カバーの外面側に変位可能とされていることを特徴とする請求項４又は５記載のインバータ装置。
【請求項７】
前記ファンにフィンガーガードを装着して前記ファンユニットを前記筐体内部に収容した際に、前記筐体の天面カバーに形成した排気開口部に、前記フィンガーガードが対峙しているとともに、前記弾性押圧部が、前記フィンガーガードの筐体裏面側の部位を前記ファンに押し付け力を付与して保持していることを特徴とする請求項２乃至６の何れか１項に記載のインバータ装置。
【発明の詳細な説明】
【技術分野】
【０００１】
本発明は、半導体素子を冷却するファンユニットを収納したインバータ装置に関する。
【背景技術】
【０００２】
電力変換装置であるインバータ装置は、制御回路や電源回路が構成されたプリント基板、半導体素子を含む主回路部、半導体素子の冷却フィンなどを備えており、またこれらを冷却するためのファンユニットを備えている。ここで、ファンユニットは、実装されている複数の冷却ファンを交換自在な構造とし、そのための実装構造も種々提案されている（例えば、特許文献１，２参照）。
【０００３】
図１０及び図１１は、上記のような従来のインバータ装置を示す斜視図である。
図１０に示すインバータ装置は、筐体１内の上部にファンユニット２が配置されており、前面カバー３を取り外すことで前面側に引き出され、複数の冷却ファン４〜７および内部撹拌用ファン８〜９の交換が行われるようになっている。また、筐体１の天面カバー１０には、ファンユニット２の筐体１裏面側に配置される冷却ファン４〜７に対応する位置に多数の排気スリット１１が形成されている。
【０００４】
一方、図１１に示すインバータ装置も、筐体２１内の上部にファンユニット２２が配置されており、前面カバー２３を取り外すことで前面側に引き出され、複数の冷却ファン２４〜２６および内部撹拌用ファン２７の交換が行われるようになっている。ここで、冷却ユニット２２の筐体１裏面側に配置される冷却ファン２４〜２６には、異物が侵入するのを防ぐためのフィンガーガード２４ａ〜２６ａが設けられているとともに、筐体２１の天面カバー２９には、フィンガーガード２４ａ〜２６ａを設けた冷却ファン２４〜２６に対応する位置に矩形状の排気開口部２９ａが形成されている。ここで、各フィンガーガード２４ａ〜２６ａは各冷却ファン２４〜２６に個別に設けられており、各冷却ファンの四隅に設けられた穴に４本のネジ２６ｂを用いて各フィンガーガードをそれぞれ装着している。なお、図１１（ａ）に示すように４本のネジ２６ｂのうち、裏面側に位置する２点のネジ２６ｂはナット２６ｃを使用して固定している。
【特許文献１】特開平１１−３４６０７８号公報
【特許文献２】特開２００７−３２５３８３号公報
【発明の開示】
【発明が解決しようとする課題】
【０００５】
ところで、図１０に示すインバータ装置のファンユニット２は、筐体１の上部前面側に設けたクロスバー１２に前面側のパネルが載置され、ユニット前面に設けた折り曲げ部２ａのねじ穴２ａ１に、前面カバー３を貫通したねじ３ａをネジ止めすることで、片持ち支持状態で配置されている。
また、図１１に示すインバータ装置のファンユニット２２も、筐体２１の上部前面側に設けたクロスバー２０上に前面側のパネルが載置され、ユニット前面に設けた折り曲げ部２２ａのねじ穴２２ａ１に、前面カバー２３を貫通したねじ２３ａをネジ止めすることで、片持ち支持状態で配置されている。
【０００６】
このように、片持ち支持状態で配置される図１０及び図１１のファンユニット２，２２は、共振等を防止するために剛性を高めた強固な構造とする必要があり、ファンユニット２，２２のコストアップを招くおそれがある。
また、冷却ファンの交換のために仕切り板１２、２０上をスライド移動するファンユニット２，２２は、冷却ファンの個数が多くなって重量が増大するにつれて仕切り板１２、２０上のスライド軌道から外れやすくなり、冷却ファンの取付け位置がずれるおそれがある。
【０００７】
また、天面カバー１０に排気スリット１１を設けた図１０のインバータ装置は、冷却ファン４〜７と天面カバー１０とが離間しているので圧力損失が大きく、ファンユニット２の排気能力を十分に引き出せないおそれがある。
さらに、天面カバー２９に矩形状の排気開口部２９ａを形成し、冷却ファン２４〜２６にフィンガーガード２４ａ〜２６ａを設けている図１１のファンユニット２２は、図１０の装置のように排気能力の面では問題がないが、フィンガーガード２４ａ〜２６ａを冷却ファン２４〜２６に固定するネジの個数が多いので、冷却ファン２４〜２６の交換時のネジの着脱に多くの時間を必要とし、冷却ファン２４〜２６の交換作業性に問題がある。
【０００８】
本発明は、このような点に鑑みてなされたものであり、ファンユニットを、コストアップを抑制しながら剛性を高めて筐体内に支持することができるとともに、ファンの交換作業性を向上させて行うことができるインバータ装置を提供することを目的とする。
【課題を解決するための手段】
【０００９】
上記目的を達成するために、請求項１に係るインバータ装置は、複数のファンを装着したファンユニットを備え、このファンユニットを筐体の前面側へ引き出し可能に収納したインバータ装置において、前記ファンユニットの引き出し方向の奥側に前記ファンユニットを弾性挟持力により挟持するファンガイド部材を設ける。
この発明によると、ファンユニットは、剛性を高めるために強固なユニット構造とする必要がなくなり、コストアップを抑制することができる。
【００１０】
また、請求項２の発明は、請求項１記載のインバータ装置において、前記ファンガイド部材は、前記ファンユニットの一方のユニット面を載置する載置部と、前記一方のユニット面に対向した他方のユニット面に当接して前記載置部に向けて弾性押圧力を付与する弾性押圧部とを備えている。
この発明によると、交換作業が完了したファンユニットを筐体内に戻していく際に、ファンユニットの一方のユニット面が載置部上をスライドしていき、ファンユニットの他方のユニット面が弾性押圧部により移動方向がガイドされるので、ファンユニットの取付け位置がずれるおそれがない。
【００１１】
また、請求項３の発明は、請求項２記載のインバータ装置において、前記弾性押圧部は、前記複数のファンに当接して弾性押圧力を付与するように、複数設けられている。
この発明によると、各ファンの支持剛性を高めることができる。
また、請求項４の発明は、請求項３記載のインバータ装置において、前記ファンガイド部材は金属板を折り曲げて形成されており、板状の前記載置部と、この載置部の奥側縁部から立ち上がり、前記筐体の裏面カバーに固定される板状の被固定部と、この被固定部の上部から連続し、隣接している一対の前記ファンの間に位置して前記一対のファンに当接する複数の板状の前記弾性押圧部とで構成されている。
【００１２】
この発明によると、ファンガイド部材を金属板を折り曲げて構成したことで、ファンユニットを支持する構造のコストアップをさらに抑制することができる。また、筐体の裏面カバーに固定される被固定部を設けたことで、ファンユニットの支持剛性をさらに高めることができる。
また、請求項５の発明は、請求項４記載のインバータ装置において、前記弾性押圧部は、切り込みを入れることで２分割された分割弾性押圧部とされており、隣接している前記一対のファンの各々に、２分割された分割弾性押圧部が独立して当接するようにした。
【００１３】
この発明によると、各ファンを構成する部品の寸法公差が大きく、或いは組付け時の公差が大きくても、最適な押圧力が発生する分割弾性押圧部が各ファンを独立に押圧しているので、各ファンを確実に支持することができる。
また、請求項６の発明は、請求項４又は５記載のインバータ装置において、前記裏面カバーは、前記弾性押圧部と対面する位置に押圧部開放窓を形成しており、前記ファンに当接する前記弾性押圧部は、前記押圧部開放窓を通過して前記裏面カバーの外面側に変位可能とされている。
【００１４】
この発明によると、ファンに押圧力を付与している弾性変形した弾性押圧部の基部が、裏面カバーに形成した開放窓を通過して裏面カバーの外側に変位するので、弾性押圧部が裏面カバーに当接せず、裏面カバーから反力を受けないので、弾性押圧部の押圧力が過剰にならない。したがって、ファンの交換作業に支障をきたすおそれがない。
さらに、請求項７記載の発明は、請求項２乃至６の何れか１項に記載のインバータ装置において、前記ファンにフィンガーガードを装着して前記ファンユニットを前記筐体内部に収容した際に、前記筐体の天面カバーに形成した排気開口部に、前記フィンガーガードが対峙しているとともに、前記弾性押圧部が、前記フィンガーガードの筐体裏面側の部位を前記ファンに押し付け力を付与して保持している。
【００１５】
この発明によると、天面カバーに設けた排気開口部に、ファンに装着したフィンガーガードが対峙しているので、排気開口部とファンとの間の圧力損失が大きくならず、ファンの排気能力を十分に引き出すことができる。そして、ファンガイド部材の弾性押圧部が、フィンガーガードの筐体裏面側の部位を前記ファンに押し付け力を付与して保持していることから、フィンガーガードをファンにねじ止めする箇所が少なくなる。このことから、ファンの交換作業時のねじの着脱に要する時間が少なくなるので、ファンの交換作業の能率を向上させることができる。
【発明の効果】
【００１６】
本発明に係るインバータ装置によれば、ファンユニットの筐体裏面側が、筐体の裏面側に配置したファンガイド部材の弾性挟持力により挟持されているので、ファンユニットは、剛性を高めるために強固なユニット構造とする必要がなくなり、コストアップを抑制したインバータ装置を提供することができる。
【発明を実施するための最良の形態】
【００１７】
以下、本発明を実施するための最良の形態（以下、実施形態という。）を、図面を参照しながら詳細に説明する。
（第１実施形態）
図１から図４は、本発明に係る第１実施形態のインバータ装置を示すものであり、図１（ａ）はインバータ装置の外観を前面側から示した斜視図、図１（ｂ）はファンユニットを筐体内部から引き出した状態を示す図、図１（ｃ）はファンユニットの支持構造を示す図、図２はファンユニットの外観を示す図、図３（ａ）はファンユニットを支持するファンガイド部材を示す斜視図、図３（ｂ）はファンガイド部材を側面から示した図、図４はインバータ装置の裏面側の構造を示した斜視図である。
【００１８】
図１に示すように、本実施形態のインバータ装置は、筐体３０の前面開口部を、上部前面カバー３１及び下部前面カバー３２が覆っている。筐体３０を構成する天面カバー３３には、矩形状の排気開口部３３ａが形成されており、この排気開口部３３ａに、筐体３０内の上部に配置したファンユニット３４の冷却ファン３５〜３８が位置している。
筐体３０内部には、制御回路や電源回路が構成されたプリント基板や、半導体素子を含む主回路部が配置されているとともに、図４に示すように、筐体の下部には、電解コンデンサ６０、冷却フィン６１が配置されている。
【００１９】
前述したファンユニット３４は、図２に示すように、冷却ファン３５〜３８を支持しているユニットケース３９と、ユニットケース３９の前面に固定されて内部撹拌用ファン４０を支持しているサブユニットケース４１とを備えている。
ユニットケース３９に支持されている各冷却ファン３５〜３８の四隅には穴３５ａ〜３８ａがそれぞれ設けられており、冷却ファン３５〜３８の上面には、それぞれフィンガーガード４２〜４５が装着されている。これらフィンガーガード４２〜４５のそれぞれは、筐体３０内に配置したときに前面側となる２点がねじ４６でユニットケース３９に取付けられており、筐体３０の裏面側に位置する２点は、冷却ファン３５〜３８の上面に当接しただけの状態となっている。
【００２０】
筐体３０内のファンユニット３４は、図１（ａ）、（ｂ）に示すように、サブユニットケース４１に設けたねじ穴４１ａに上部前面カバー３１を貫通したねじ３１ａがネジ止めされ、図１（ｃ）に示すように、冷却ファン３５〜３８が、筐体３０内のウライタ４７側に配置したファンガイド部材４８に支持された状態で取付けられている。
ファンガイド部材４８は、図３（ａ）に示すように板金部材であり、ファンユニット３４の冷却ファン３５〜３８に対応する位置に通気穴４９が形成されている矩形状の下部支持板５０と、この下部支持板５０の前面側の長辺から折り曲げて垂下している固定板５１と、下部支持板５０の短辺側から折り曲げ形成されている固定板５２と、下部支持板５０の裏面側の長辺から立ち上がっているウライタ当接板５３と、このウライタ当接板５３の上部から長手方向に所定間隔をあけて形成されている複数の弾性押圧部５４とを備えている。
【００２１】
これら弾性押圧部５４は、下部支持板５０側に平行に延在する折り曲げ部５４ａと、折り曲げ部５４ａの先端から下部支持板５０側の下方に突出している「く」の字状に折曲された係合部５４ｂとを備えている。
そして、ファンガイド部材４８は、下部支持板５０の前面側の長辺に設けた固定板５１が筐体３０内の幅方向に延在している支持部材（不図示）にネジ止めされ、下部支持板５０の短辺側に設けた固定板５２が筐体３０の側面カバーに固定され、下部支持板５０の裏面側の長辺に設けたウライタ当接板５３がウライタ４７にネジ止めされた状態で（図４参照）、筐体３０内の上部に配置されている。
【００２２】
ここで、各々の各弾性押圧部５４は、ファンユニット３４の冷却ファン３５〜３８が下部支持板５０上に位置しているときに（図１（ｃ）参照）、図４に示すように、冷却ファン３５〜３８の上面に装着したフィンガーガード４２〜４５のネジ止めされていない裏面側の部位に当接し、弾性変形しながら下方に（下部支持板５０側に向けて）押圧している。
【００２３】
次に、本実施形態のインバータ装置におけるファンユニット３４の交換手順について説明する。
先ず、筐体３０の上部開口部を閉塞している上部前面カバー３１を取り外す。ねじ３１ａを外すことで、ファンユニット３４の固定状態が解除される。
次いで、ファンユニット３４を、筐体３０の上部開口部に向けて引き出していく。この際、ファンユニット３４の冷却ファン３５〜３８は、筐体３０内部に配置したファンガイド部材４８の下部支持板５０上を前面側にスライドしていき、ファンガイド部材４８の弾性押圧部５４は、冷却ファン３５〜３８の上部に装着したフィンガーガード４２〜４５の押圧状態を解除する。
【００２４】
そして、ファンユニット３４を筐体３０の前面側に引き出した後に、冷却ファン３５〜３８や内部撹拌用ファン４０の交換を行う。冷却ファン３５〜３８の交換を行う際、図２に示したように、フィンガーガード４２〜４５は、前面側の位置がねじ４６でユニットケース３９に取付けられており、裏面側に位置する部位は、冷却ファン３５〜３８の上面に当接しただけの状態となっているので、冷却ファン３５〜３８の交換が容易となる。
【００２５】
そして、交換した冷却ファン３５〜３８や排気ファン４０を装着したファンユニット３４を、筐体３０の上部内に戻していく。この際、ファンユニット３４の冷却ファン３５〜３８は、ファンガイド部材４８の下部支持板５０上を裏面側にスライドしていき、冷却ファン３５〜３８の上部に当接する弾性押圧部５４の係合部５４ｂが、冷却ファン３５〜３８の移動方向をガイドする。
【００２６】
そして、筐体３０の裏面側までファンユニット３４を戻すと、ウライタ４７に固定されたファンガイド部材４８の複数の弾性押圧部５４の係合部５４ｂが上方に弾性変形しながら冷却ファン３５〜３８の上部に装着したフィンガーガード４２〜４５を下方に押圧し、冷却ファン３５〜３８は、複数の弾性押圧部５と下部支持板５０との挟み込まれた状態で支持される。
【００２７】
そして、ファンガイド部材４８に冷却ファン３５〜３８が支持されたファンユニット３４は、筐体３０の上部開口部を上部前面カバー３１で閉塞し、サブユニットケース４１に設けたねじ穴４１ａに上部前面カバー３１を貫通したねじ３１ａをネジ止めすることで、前面側が上部前面カバー３１に支持され、裏面側がファンガイド部材４８に支持された状態で筐体３０内に固定される。
【００２８】
次に、本実施形態の作用効果について説明する。
本実施形態のファンユニット３４は、前面側のサブユニットケース４１が、筐体３０に固定された上部前面カバー３１にネジ止めにより固定されているとともに、裏面側の冷却ファン３５〜３８が、筐体３０に固定されたファンガイド部材４８の下部支持板５０上に載置され、複数の弾性押圧部５により下部支持板５０に向けて押圧されることで挟み込まれた状態で確実に支持されているので、剛性を高めるために強固なユニット構造とする必要がなくなり、ファンユニット３４のコストアップを抑制することができる。
【００２９】
また、交換作業が完了したファンユニット２４を筐体３０内に戻していく際には、冷却ファン３５〜３８が、ファンガイド部材４８の下部支持板５０上を裏面側に向けてスライドしていき、冷却ファン３５〜３８の上部に当接する弾性押圧部５４の係合部５４ｂが、冷却ファン３５〜３８の移動方向をガイドするので、冷却ファン３５〜３８の取付け位置がずれるおそれがない。
【００３０】
また、本実施形態は、天面カバー３３に矩形状の大きな排気開口部３３ａを設け、この排気開口部３３ａを臨む位置にフィンガーガード４２〜４５を装着した冷却ファン３５〜３８が配置されており、排気開口部３３ａと冷却ファン３５〜３８との間の圧力損失が大きくならないので、冷却ファン３５〜３８の排気能力を十分に引き出すことができる。
また、ファンユニット３４の冷却ファン３５〜３８は、それらの上面に装着したフィンガーガード４２〜４５のねじ４６で止める箇所を少なくし、ネジ止めされていない裏面側の部位が、筐体３０内に配置したファンガイド部材４８の弾性押圧部５４に押圧されて支持される構造としており、ファンユニット３４の交換作業時には、ねじ４６等の着脱に要する時間が少なくなるので、冷却ファン３５〜３８の交換作業の能率を向上させることができる。
（第２実施形態）
次に、図５から図９は、本発明に係る第２実施形態のインバータ装置を示すものであり、図５は本実施形態のインバータ装置の裏面側のウライタを外した構造を示した斜視図、
図６は本実施形態のファンガイド部材を示す斜視図、図７はファンガイド部材を側面から示した図、図８は本実施形態のインバータ装置の裏面側にウライタを取付けた状態を示した斜視図、図９は本実施形態のウライタとファンガイド部材との関係を示した図である。なお、図１から図４で示した構成と同一構成部分には同一符号を付してその説明は省略する。
【００３１】
図５に示すように、本実施形態のインバータ装置も、筐体３０の前面開口部を、上部前面カバー３１及び下部前面カバー３２が覆っている。筐体３０を構成する天面カバー３３には、矩形状の排気開口部３３ａが形成されており、この排気開口部３３ａに、筐体３０内の上部に配置したファンユニット３４の冷却ファン３５〜３８が位置している。
ファンユニット３４の冷却ファン３５〜３８は、筐体３０内のウライタ４７側に配置したファンガイド部材７０に支持された状態で取付けられている。
【００３２】
ファンガイド部材７０は、図６に示すように板金部材であり、ファンユニット３４の冷却ファン３５〜３８に対応する位置に通気穴７１が形成されている矩形状の下部支持板７２と、この下部支持板７２の前面側の長辺から折り曲げて垂下している固定板７３と、下部支持板７２の短辺側から折り曲げ形成されている固定板７４と、下部支持板７２の裏面側の長辺から立ち上がっているウライタ当接板７５と、このウライタ当接板７５の上部から長手方向に所定間隔をあけて形成されている複数の弾性押圧部７６〜８０とを備えている。
【００３３】
ウライタ当接板７５の長手方向の両端に位置している弾性押圧部７６，８０は、下部支持板７２側に平行に延在する折り曲げ部７６ａ，８０ａと、折り曲げ部７６ａ，８０ａの先端から下部支持板７２側の下方に突出している「く」の字状に折曲された係合部７６ｂ，８０ｂ（図３（ｂ）で示した係合部５４ｂと同一形状）とを備えている。
弾性押圧部７６，８０の間に所定間隔をあけて形成されている他の弾性押圧部７７，７８，７９は、ウライタ当接板７５に切欠き８１を形成し、弾性押圧部７７，７８，７９の幅方向中央部に切欠き８２を形成することで、２分割された分割弾性押圧部７７ａ，７７ｂ，７８ａ，７８ｂ，７９ａ，７９ｂとされている。すなわち、図７に示すように、分割弾性押圧部７７ｂは、下部支持板７２側に平行に延在する折り曲げ部７７ｂ１と、折り曲げ部７７ｂ１の先端から下部支持板７２側の下方に突出している「く」の字状に折曲された係合部７７ｂ２とを備えている。また、分割弾性押圧部７７ａは、前述した分割弾性押圧部７７ｂと同一形状に形成されている。そして、他の分割弾性押圧部７８ａ，７８ｂ，７９ａ，７９ｂも、分割弾性押圧部７７ａ，７７ｂと同一形状に形成されている。
【００３４】
そして、ファンガイド部材７０は、下部支持板７２の前面側の長辺に設けた固定板７３が筐体３０内の幅方向に延在している支持部材（不図示）にネジ止めされ、下部支持板７２の短辺側に設けた固定板７４が筐体３０の側面カバーに固定され、ウライタ当接板７５がウライタ４７にネジ止めされた状態で、筐体３０内の上部に配置されている。
ウライタ４７には、弾性押圧部７６〜８０に対向する位置に、開放窓８１〜８５が形成されている。開放窓８１，８５は、弾性押圧部７６，８０の折り曲げ部７６ａ，８０ａの基部がウライタ４７の外側から見えるように形成されている。開放窓８２は、分割弾性押圧部７７ａ，７７ｂの基部がウライタ４７の外側から見えるように形成されている。同様に、開放窓８３は、分割弾性押圧部７８ａ，７８ｂの基部がウライタ４７の外側から見えるように形成され、開放窓８４は、分割弾性押圧部７９ａ，７９ｂの基部がウライタ４７の外側から見えるように形成されている。
【００３５】
ここで、弾性押圧部７６〜８０は、ファンユニット３４の冷却ファン３５〜３８が下部支持板７２上に位置しているときに、冷却ファン３５〜３８の上面に装着したフィンガーガード４２〜４５のネジ止めされていない裏面側の部位に独立して当接し、弾性変形しながら下方に（下部支持板７２側に向けて）押圧している。
すなわち、図２に示したように、ファンユニット３４のユニットケース３９に支持されている各冷却ファン３５〜３８の四隅には穴３５ａ〜３８ａがそれぞれ設けられており、冷却ファン３５〜３８の上面には、それぞれフィンガーガード４２〜４５が装着されている。そして、これらフィンガーガード４２〜４５のそれぞれは、筐体３０内に配置したときに前面側となる２点がねじ４６でユニットケース３９に取付けられており、筐体３０の裏面側に位置する２点は、冷却ファン３５〜３８の上面に当接しただけの状態となっている。
【００３６】
これら筐体３０の裏面側に位置する冷却ファン３５〜３８の２点のうち、図２の符号３５ａで示す２点の位置を、弾性押圧部７６及び分割弾性押圧部７７ａがそれぞれ当接して押圧している。また、図２の符号３６ａで示す２点の位置を、分割弾性押圧部７７ｂ及び分割弾性押圧部７８ａがそれぞれ当接して押圧している。同様に、図２の符号３７ａで示す２点の位置を、分割弾性押圧部７８ｂ及び分割弾性押圧部７９ａがそれぞれ当接して押圧している。さらに、図２の符号３８ａで示す２点の位置を、分割弾性押圧部７９ｂ及び弾性押圧部８０がそれぞれ当接して押圧している。
【００３７】
次に、本実施形態の作用効果について説明する。
ファンユニット３４を構成するフィンガーガード４２〜４５及び冷却ファン３５〜３８は各部品の寸法公差が大きく、ファンガイド部材７０の下部支持板７２に載置した際には、組付け時の公差を含めてファン厚み寸法が異なる。
ファン厚み寸法が増大した冷却ファン（例えば冷却ファン）３６は、弾性押圧部７７の変位量が増大することでウライタ４７に接触して反力を受け、弾性押圧部７７の押圧力が過剰になることで、ファンユニット２４の交換作業に支障をきたすおそれがある。他の弾性押圧部７６，７８〜８０も同様に、ウライタ４７に接触すると押圧力が過剰になって冷却ファン３５〜３８の交換作業に支障をきたすおそれがある。
【００３８】
しかし、図９に示すように本実施形態は、冷却ファン３６に押圧力を付与している弾性変形した弾性押圧部７７の基部が、ウライタ４７に形成した開放窓８２を通過してウライタ４７の外側に変位しているので、弾性押圧部７７はウライタ４７に当接せず、ウライタ４７から反力を受けないので、弾性押圧部７７の押圧力が過剰にならない。また、他の弾性押圧部７６，７８〜８０も同様に、ウライタ４７に接触せず、冷却ファン３５〜３８の交換作業に支障をきたすおそれがない。
【００３９】
また、弾性押圧部７７〜７９は、幅方向中央部に切欠き８２を形成することで、２分割された分割弾性押圧部７７ａ，７７ｂ，７８ａ，７８ｂ，７９ａ，７９ｂとされて過度の押圧力が発生しない構造になっており、各部品の寸法公差が大きくなり、または組付け時の公差が大きくなっても最適な押圧力が発生する。しかも、各々の分割弾性押圧部７７ａ，７７ｂ，７８ａ，７８ｂ，７９ａ，７９ｂが、各冷却ファン３５〜３８の支持すべき箇所に独自に当接して押圧しているので、各冷却ファン３５〜３８を確実に支持することができる。
【図面の簡単な説明】
【００４０】
【図１】（ａ）は本発明に係る第１実施形態のインバータ装置の外観を前面側から示した斜視図、（ｂ）はファンユニットを筐体内部から引き出した状態を示す図、（ｃ）はファンユニットの支持構造を示す図である。
【図２】本発明に係る第１実施形態のファンユニットの外観を示す斜視図である。
【図３】（ａ）は本発明に係る第１実施形態のファンユニットを支持するファンガイド部材を示す斜視図、（ｂ）はファンガイド部材を側面から示した図である。
【図４】本発明に係る第１実施形態のインバータ装置の裏面側の構造を示した斜視図である。
【図５】本発明に係る第２実施形態のインバータ装置の裏面側のウライタを外した構造を示した斜視図である。
【図６】本発明に係る第２実施形態のファンガイド部材を示す斜視図である。
【図７】本発明に係る第２実施形態のファンガイド部材を側面から示した図である。
【図８】本発明に係る第２本実施形態のインバータ装置の裏面側にウライタを取付けた状態を示した斜視図である。
【図９】本発明に係る第２実施形態のウライタとファンガイド部材との関係を示した図である。
【図１０】従来のインバータ装置を示す図である。
【図１１】他の従来のインバータ装置を示す図である。
【符号の説明】
【００４１】
３０…筐体、３１…上部前面カバー（前面カバー）、３２…下部前面カバー、３３…天面カバー、３３ａ…排気開口部、３４…ファンユニット、３５〜３８…冷却ファン（ファン）、３９…ユニットケース、４０…内部撹拌用ファン、４１…サブユニットケース、４１ａ…ねじ穴、４２〜４５…フィンガーガード、４６…ねじ、４７…ウライタ（裏面カバー）、４８…ファンガイド部材、４９…通気穴、５０…下部支持板（載置部）、５１，５２…固定板、５３…ウライタ当接板（被固定部）、５４…弾性押圧部、５４ａ…折り曲げ部、５４ｂ…係合部、６０…電解コンデンサ、６１…冷却フィン、７６〜８０…弾性押圧部、８１〜８５…開放窓、７０…ファンガイド部材、７１…通気穴、７２…下部支持板（載置部）、７３，７４…固定板、７５…ウライタ当接板（被固定部）、７６ａ，８０ａ…折り曲げ部、７６ｂ，８０ｂ…係合部、７７ａ，７７ｂ，７８ａ，７８ｂ，７９ａ，７９ｂ…分割弾性押圧部、７７ｂ…分割弾性押圧部、７７ｂ１…折り曲げ部、７７ｂ２…係合部
【図１】
2010011720.tif 000003
【図２】
2010011720.tif 000004
【図３】
2010011720.tif 000005
【図４】
2010011720.tif 000006
【図５】
2010011720.tif 000007
【図６】
2010011720.tif 000008
【図７】
2010011720.tif 000009
【図８】
2010011720.tif 000010
【図９】
2010011720.tif 000011
【図１０】
2010011720.tif 000012
【図１１】
2010011720.tif 000013